(57)【要約】【課題】はんだによる接合強度が確保可能であると共に素体のクラックが抑制されている電子部品を提供する。【解決手段】積層コンデンサＣ１は、直方体形状を呈しており、一対の主面３ａ，３ｂと、一対の側面３ｃと、一対の端面３ｅと、を有している素体３と、第三方向Ｄ３での素体３の両端部にそれぞれ配置され、かつ、主面３ａと一対の側面３ｃとに形成されている外部電極５と、を備え、外部電極５は、主面３ａと一対の側面３ｃとを覆うように形成されているめっき層Ｅｍを有しており、めっき層Ｅｍにおける主面３ａを覆っている部分の厚みＭ１は、めっき層Ｅｍにおける一対の側面３ｃを覆っている各部分の厚みＭ２よりも小さい。【選択図】図９
2019083252.tif 000002
【特許請求の範囲】
【請求項１】
直方体形状を呈しており、実装面とされる第一主面と、第一方向で前記第一主面と対向している第二主面と、第二方向で対向している一対の側面と、第三方向で対向している一対の端面と、を有している素体と、
前記一対の端面が対向している方向での前記素体の両端部にそれぞれ配置され、かつ、前記第一主面と前記一対の側面とに形成されている外部電極と、を備え、
前記外部電極は、前記第一主面と前記一対の側面とを覆うように形成されているめっき層を有しており、
前記めっき層における前記第一主面を覆っている部分の厚みは、前記めっき層における前記一対の側面を覆っている各部分の厚みよりも小さい、電子部品。
【請求項２】
前記めっき層における前記一対の側面を覆っている各部分の面積は、前記めっき層における前記第一主面を覆っている部分の面積よりも小さい、請求項１に記載の電子部品。
【請求項３】
前記めっき層における前記一対の側面を覆っている各部分は、前記側面における前記第一主面寄りの領域に形成されている、請求項１又は２に記載の電子部品。
【請求項４】
前記外部電極は、前記第一主面の一部と前記一対の側面の各一部とを覆うように形成されている導電性樹脂層を有しており、
前記めっき層は、前記導電性樹脂層に形成されている、請求項１〜３の何れか一項に記載の電子部品。
【請求項５】
前記外部電極は、前記端面にも形成されており、
前記導電性樹脂層は、前記端面の一部を更に覆うように形成されている、請求項４に記載の電子部品。
【請求項６】
対応する前記端面に露出する内部導体を更に備え、
前記外部電極は、前記内部導体と接続されるように少なくとも前記端面に形成されている焼結金属層を更に有している、請求項５に記載の電子部品。
【請求項７】
前記焼結金属層は、前記導電性樹脂層で覆われている第一領域と、前記導電性樹脂層から露出している第二領域と、を有する、請求項６に記載の電子部品。
【請求項８】
前記焼結金属層は、前記第一主面と前記端面との間に位置する第一稜線部にも形成されており、
前記導電性樹脂層は、前記焼結金属層における、前記第一稜線部に形成されている部分の全体を覆うように形成されている、請求項６又は７に記載の電子部品。
【請求項９】
前記焼結金属層は、前記側面と前記端面との間に位置する第二稜線部にも形成されており、
前記導電性樹脂層は、前記焼結金属層における、前記第二稜線部に形成されている部分の一部を覆うように形成されている、請求項６〜８の何れか一項に記載の電子部品。
【請求項１０】
前記めっき層は、最外層よりも素体側の中間層としてＮｉめっき層を含んでいる、請求項１〜９の何れか一項に記載の電子部品。
【請求項１１】
前記めっき層は、最外層としてＳｎめっき層を含んでいる、請求項１〜１０の何れか一項に記載の電子部品。
【発明の詳細な説明】
【技術分野】
【０００１】
本発明は、電子部品に関する。
【背景技術】
【０００２】
直方体形状を呈している素体と、素体に設けられた複数の外部電極と、を備えた電子部品が知られている（たとえば、特許文献１参照）。この電子部品において、素体は、互いに対向している一対の主面と、互いに対向している一対の端面と、互いに対向している一対の側面と、を有している。外部電極は、一対の端面が対向している方向での素体の両端部にそれぞれ配置されている。外部電極は、めっき層を有している。
【先行技術文献】
【特許文献】
【０００３】
【特許文献１】特開２００２−２０３７３６号公報
【発明の概要】
【発明が解決しようとする課題】
【０００４】
上記特許文献１に記載の電子部品では、電子機器（たとえば、回路基板又は他の電子部品）に対してはんだ実装される際、外部電極と電子機器とがはんだによって接合される。外部電極におけるめっき層は、当該はんだによる接合強度を確保するために形成されている。しかしながら、めっき層を形成する際に生じた応力が、めっき層の内部に残留応力として残っていることがあり、この残留応力が素体に作用することによって、素体にクラックが生じるおそれがある。
【０００５】
そこで、本発明は、はんだによる接合強度が確保可能であると共に素体のクラックが抑制されている電子部品を提供することを目的とする。
【課題を解決するための手段】
【０００６】
本発明に係る電子部品は、直方体形状を呈しており、実装面とされる第一主面と、第一方向で第一主面と対向している第二主面と、第二方向で対向している一対の側面と、第三方向で対向している一対の端面と、を有している素体と、一対の端面が対向している方向での素体の両端部にそれぞれ配置され、かつ、第一主面と一対の側面とに形成されている外部電極と、を備え、外部電極は、第一主面と一対の側面とを覆うように形成されているめっき層を有しており、めっき層における第一主面を覆っている部分の厚みは、めっき層における一対の側面を覆っている各部分の厚みよりも小さい。
【０００７】
本発明に係る電子部品では、めっき層が、一対の側面を覆っている各部分よりも第一主面を覆っている部分で小さい厚みとなっているので、この第一主面を覆っている部分の残留応力が小さい。よって、実装面とされる第一主面に当該残留応力が作用することにより生じる素体のクラックが抑制されている。めっき層が、第一主面を覆っている各部分よりも一対の側面を覆っている各部分で大きい厚みとなっているので、外部電極を電子機器にはんだ接合する際、当該一対の側面を覆っている各部分の上にはんだが回り込み易い。よって、外部電極と電子機器とのはんだによる接合強度が確保可能である。以上より、はんだによる接合強度が確保可能であると共に素体のクラックが抑制されている。
【０００８】
本発明に係る電子部品では、めっき層における一対の側面を覆っている各部分の面積は、めっき層における第一主面を覆っている部分の面積よりも小さくてもよい。この場合、めっき層が、第一主面を覆っている部分よりも一対の側面を覆っている各部分で小さい面積となっている。よって、めっき層が一対の側面を覆っている各部分で大きい厚みとなることに起因して当該側面を覆っている各部分で残留応力が増加するとしても、その増加分を相殺する作用が奏される。したがって、残留応力が各側面に作用することにより生じる素体のクラックが抑制されている。
【０００９】
本発明に係る電子部品では、めっき層における一対の側面を覆っている各部分は、側面における第一主面寄りの領域に形成されていてもよい。この場合、めっき層における一対の側面を覆っている各部分が、側面における第一主面寄りの領域に形成されているので、当該側面を覆っている各部分が側面における第一主面から第二主面に亘る領域に形成されている場合よりも、当該側面を覆っている各部分の面積が小さい。よって、めっき層が一対の側面を覆っている各部分で大きい厚みとなることに起因して当該側面を覆っている各部分で残留応力が増加するとしても、その増加分を相殺する作用が奏される。したがって、残留応力が各側面に作用することにより生じる素体のクラックが抑制されている。
【００１０】
本発明に係る電子部品では、外部電極は、第一主面の一部と一対の側面の各一部とを覆うように形成されている導電性樹脂層を有しており、めっき層は、導電性樹脂層に形成されていてもよい。この場合、めっき層と第一主面及び一対の側面との間に導電性樹脂層を介しているので、めっき層の残留応力が素体に作用し難く、素体のクラックがより抑制されている。
【００１１】
本発明に係る電子部品では、外部電極は、端面にも形成されており、導電性樹脂層は、端面の一部を更に覆うように形成されていてもよい。素体と導電性樹脂層との間の領域は、水分が浸入する経路となるおそれがある。素体と導電性樹脂層との間の領域から水分が浸入すると、電子部品の耐久性が低下する。本形態では、導電性樹脂層が、端面の一部を覆うように形成されているので、端面の全体を覆うように形成されている構成に比して、水分が浸入する経路が少ない。よって、湿信頼性が向上している。ここで、電子部品が電子機器（たとえば、回路基板又は電子部品）にはんだ実装されている場合、電子機器から電子部品に作用する外力が、はんだ実装の際に形成されたはんだフィレットから外部電極を通して素体に応力として作用することがある。この場合、素体にクラックが発生するおそれがある。外力は、素体における、第一主面の一部と一対の側面の各一部と端面の一部とで画成される領域に作用する傾向がある。この電子部品では、導電性樹脂層が、第一主面の一部と一対の側面の各一部とに加えて、端面の一部を更に覆うように形成されているので、外力によるクラックが素体に発生するのが抑制される。
【００１２】
本発明に係る電子部品では、対応する端面に露出する内部導体を更に備え、外部電極は、内部導体と接続されるように少なくとも端面に形成されている焼結金属層を更に有していてもよい。この場合、内部導体と接続されるように端面に形成されている焼結金属層により、外部電極と内部導体とが、良好にコンタクトするので、外部電極と内部導体とが、確実に電気的に接続される。
【００１３】
本発明に係る電子部品では、焼結金属層は、導電性樹脂層で覆われている第一領域と、導電性樹脂層から露出している第二領域と、を有してもよい。導電性樹脂層は、導電性材料（たとえば、金属粉末）と樹脂（たとえば、熱硬化性樹脂）とを含む。導電性樹脂層の電気抵抗は、焼結金属層の電気抵抗に比して大きい。焼結金属層が第二領域を有している場合、第二領域は、導電性樹脂層を介することなく、電子機器と電気的に接続される。したがって、本形態では、外部電極が導電性樹脂層を有する場合でも、ＥＳＲ（等価直列抵抗）の増大が抑制される。
【００１４】
本発明に係る電子部品では、焼結金属層は、第一主面と端面との間に位置する第一稜線部にも形成されており、導電性樹脂層は、焼結金属層における、第一稜線部に形成されている部分の全体を覆うように形成されていてもよい。導電性樹脂層と素体との接合強度は、導電性樹脂層と焼結金属層との接合強度よりも小さい。本形態では、第一稜線部に焼結金属層が形成されているので、導電性樹脂層が素体から剥がれる場合でも、導電性樹脂層の剥がれが、第一稜線部に対応する位置を越えて、端面に対応する位置まで進み難い。
【００１５】
本発明に係る電子部品では、焼結金属層は、側面と端面との間に位置する第二稜線部にも形成されており、導電性樹脂層は、焼結金属層における、第二稜線部に形成されている部分の一部を覆うように形成されていてもよい。本形態では、第二稜線部に焼結金属層が形成されているので、導電性樹脂層が素体から剥がれる場合でも、導電性樹脂層の剥がれが、第二稜線部に対応する位置を越えて、端面に対応する位置まで進み難い。本形態では、導電性樹脂層が、第二稜線部の一部を覆うように形成されているので、第二稜線部の全体を覆うように形成されている構成に比して、水分が浸入する経路が少ない。したがって、湿信頼性が向上している。
【００１６】
本発明に係る電子部品では、めっき層は、最外層よりも素体側の中間層としてＮｉめっき層を含んでいてもよい。この場合、はんだ実装の際の耐はんだ喰われ性が向上する。
【００１７】
本発明に係る電子部品では、めっき層は、最外層としてＳｎめっき層を含んでいてもよい。この場合、はんだ実装の際のはんだ接合強度が向上する。
【発明の効果】
【００１８】
本発明によれば、はんだによる接合強度が確保可能であると共に素体のクラックが抑制されている電子部品を提供することができる。
【図面の簡単な説明】
【００１９】
【図１】第１実施形態に係る積層コンデンサの斜視図である。
【図２】第１実施形態に係る積層コンデンサの側面図である。
【図３】第１実施形態に係る積層コンデンサの断面構成を説明するための図である。
【図４】第１実施形態に係る積層コンデンサの断面構成を説明するための図である。
【図５】第１実施形態に係る積層コンデンサの断面構成を説明するための図である。
【図６】素体、第一電極層、及び第二電極層を示す平面図である。
【図７】素体、第一電極層、及び第二電極層を示す側面図である。
【図８】素体、第一電極層、及び第二電極層を示す端面図である。
【図９】図２のIX-IX線に沿った積層コンデンサの断面図である。
【図１０】図６の平面図の一部であってめっき層を仮想的に示す図である。
【図１１】図７の側面図の一部であってめっき層を仮想的に示す図である。
【図１２】第１実施形態に係る積層コンデンサの実装構造を説明するための図である。
【図１３】第２実施形態に係る積層コンデンサの斜視図である。
【図１４】図１３のXIV-XIV線に沿った積層コンデンサの断面図である。
【図１５】図１３のXV-XV線に沿った積層コンデンサの断面図である
【発明を実施するための形態】
【００２０】
以下、添付図面を参照して、本発明の実施形態について詳細に説明する。なお、説明において、同一要素又は同一機能を有する要素には、同一符号を用いることとし、重複する説明は省略する。
【００２１】
（第１実施形態）
図１〜図８を参照して、第１実施形態に係る積層コンデンサＣ１の構成を説明する。図１は、第１実施形態に係る積層コンデンサの斜視図である。図２は、第１実施形態に係る積層コンデンサの側面図である。図３、図４、及び図５は、第１実施形態に係る積層コンデンサの断面構成を説明するための図である。図６は、素体、第一電極層、及び第二電極層を示す平面図である。図７は、素体、第一電極層、及び第二電極層を示す側面図である。図８は、素体、第一電極層、及び第二電極層を示す端面図である。本実施形態では、電子部品として積層コンデンサＣ１を例に説明する。
【００２２】
積層コンデンサＣ１は、図１に示されるように、直方体形状を呈している素体３と、一対の外部電極５と、を備えている。一対の外部電極５は、素体３の外表面に配置されている。一対の外部電極５は、互いに離間している。直方体形状は、角部及び稜線部が面取りされている直方体の形状、及び、角部及び稜線部が丸められている直方体の形状を含む。
【００２３】
素体３は、互いに対向している長方形状の一対の主面３ａ，３ｂと、互いに対向している長方形状の一対の側面３ｃと、互いに対向している一対の端面３ｅと、を有している。一対の主面３ａ，３ｂが対向している方向が、第一方向Ｄ１である。一対の側面３ｃが対向している方向が、第二方向Ｄ２である。一対の端面３ｅが対向している方向が、第三方向Ｄ３である。積層コンデンサＣ１は、電子機器（たとえば、回路基板又は電子部品）に、はんだ実装される。積層コンデンサＣ１では、主面３ａが、電子機器に対向する実装面とされる。
【００２４】
第一方向Ｄ１は、各主面３ａ，３ｂに直交する方向であり、第二方向Ｄ２と直交している。第三方向Ｄ３は、各主面３ａ，３ｂと各側面３ｃとに平行な方向であり、第一方向Ｄ１と第二方向Ｄ２とに直交している。第二方向Ｄ２は、各側面３ｃに直交する方向であり、第三方向Ｄ３は、各端面３ｅに直交する方向である。本実施形態では、素体３の第三方向Ｄ３での長さは、素体３の第一方向Ｄ１での長さより大きく、かつ、素体３の第二方向Ｄ２での長さより大きい。第三方向Ｄ３が、素体３の長手方向である。素体３の第二方向Ｄ２での長さは、素体３の第一方向Ｄ１での長さに略等しい。
【００２５】
一対の側面３ｃは、一対の主面３ａ，３ｂの間を連結するように第一方向Ｄ１に延在している。一対の側面３ｃは、第三方向Ｄ３にも延在している。一対の端面３ｅは、一対の主面３ａ，３ｂの間を連結するように第一方向Ｄ１に延在している。一対の端面３ｅは、第二方向Ｄ２にも延在している。
【００２６】
素体３は、一対の稜線部３ｇと、一対の稜線部３ｈと、四つの稜線部３ｉと、一対の稜線部３ｊと、一対の稜線部３ｋと、を有している。稜線部３ｇは、端面３ｅと主面３ａとの間に位置している。稜線部３ｈは、端面３ｅと主面３ｂとの間に位置している。稜線部３ｉは、端面３ｅと側面３ｃとの間に位置している。稜線部３ｊは、主面３ａと側面３ｃとの間に位置している。稜線部３ｋは、主面３ｂと側面３ｃとの間に位置している。本実施形態では、各稜線部３ｇ，３ｈ，３ｉ，３ｊ，３ｋは、湾曲するように丸められており、素体３には、いわゆるＲ面取り加工が施されている。
【００２７】
端面３ｅと主面３ａとは、稜線部３ｇを介して、間接的に隣り合っている。端面３ｅと主面３ｂとは、稜線部３ｈを介して、間接的に隣り合っている。端面３ｅと側面３ｃとは、稜線部３ｉを介して、間接的に隣り合っている。主面３ａと側面３ｃとは、稜線部３ｊを介して、間接的に隣り合っている。主面３ｂと側面３ｃとは、稜線部３ｋを介して、間接的に隣り合っている。
【００２８】
素体３は、第二方向Ｄ２に複数の誘電体層が積層されて構成されている。素体３は、積層されている複数の誘電体層を有している。素体３では、複数の誘電体層の積層方向が第一方向Ｄ１と一致する。各誘電体層は、たとえば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成されている。実際の素体３では、各誘電体層は、各誘電体層の間の境界が視認できない程度に一体化されている。素体３では、複数の誘電体層の積層方向が第一方向Ｄ１と一致していてもよい。
【００２９】
積層コンデンサＣ１は、図３、図４、及び図５に示されるように、それぞれ複数の内部電極７，９を備えている。各内部電極７，９は、素体３内に配置されている内部導体である。内部電極７，９は、積層型の電子部品の内部電極として通常用いられる導電性材料からなる。導電性材料として、卑金属（たとえば、Ｎｉ又はＣｕなど）が用いられる。内部電極７，９は、上記導電性材料を含む導電性ペーストの焼結体として構成されている。本実施形態では、内部電極７，９は、Ｎｉからなる。
【００３０】
内部電極７と内部電極９とは、第二方向Ｄ２において異なる位置（層）に配置されている。すなわち、内部電極７と内部電極９とは、素体３内において、第二方向Ｄ２に間隔を有して対向するように交互に配置されている。内部電極７と内部電極９とは、互いに極性が異なる。複数の誘電体層の積層方向が第一方向Ｄ１である場合、内部電極７と内部電極９とは、第一方向Ｄ１において異なる位置（層）に配置される。内部電極７，９の一端部は、対応する端面３ｅに露出している。複数の内部電極７と複数の内部電極９とは、第二方向Ｄ２で交互に並んでいる。各内部電極７，９は、各主面３ａ，３ｂと略直交している面内に位置している。内部電極７と内部電極９とは、第二方向Ｄ２で互いに対向している。内部電極７と内部電極９とが対向している方向（第二方向Ｄ２）は、各主面３ａ，３ｂに直交している方向（第一方向Ｄ１）と直交している。
【００３１】
外部電極５は、図２にも示されるように、素体３における端面３ｅ側に、すなわち素体３の第三方向Ｄ３での端部にそれぞれ配置されている。外部電極５は、図３、図４、及び図５に示されるように、主面３ａ上及び稜線部３ｇ上に配置されている電極部５ａと、稜線部３ｈ上に配置されている電極部５ｂと、各稜線部３ｉ上に配置されている電極部５ｃと、対応する端面３ｅ上に配置されている電極部５ｅと、を有している。外部電極５は、稜線部３ｊ上に配置されている電極部も有している。電極部５ｃは、側面３ｃ上にも配置されている。
【００３２】
外部電極５は、一つの主面３ａ、一つの端面３ｅ、及び一対の側面３ｃの四つの面、並びに、稜線部３ｇ，３ｈ，３ｉ，３ｊに形成されている。互いに隣り合う電極部５ａ，５ｂ，５ｃ，５ｅ同士は、接続されており、電気的に接続されている。本実施形態では、外部電極５は、主面３ｂ上に意図的に形成されていない。端面３ｅに配置されている電極部５ｅは、対応する内部電極７，９の端面３ｅに露出した一端部をすべて覆っている。内部電極７，９は、対応する電極部５ｅに直接的に接続されている。内部電極７，９は、対応する外部電極５に電気的に接続されている。
【００３３】
外部電極５は、図３、図４、及び図５に示されるように、第一電極層Ｅ１、第二電極層Ｅ２、第三電極層Ｅ３、及び第四電極層Ｅ４を有している。第四電極層Ｅ４は、外部電極５の最外層を構成している。各電極部５ａ，５ｃ，５ｅは、第一電極層Ｅ１、第二電極層Ｅ２、第三電極層Ｅ３、及び第四電極層Ｅ４を有している。電極部５ｂは、第一電極層Ｅ１、第三電極層Ｅ３、及び第四電極層Ｅ４を有している。
【００３４】
電極部５ａは、稜線部３ｇ上では四層構造（第一電極層Ｅ１、第二電極層Ｅ２、第三電極層Ｅ３、及び第四電極層Ｅ４）を有しており、主面３ａ上では三層構造（第二電極層Ｅ２、第三電極層Ｅ３、及び第四電極層Ｅ４）を有している。電極部５ａの第一電極層Ｅ１は、稜線部３ｇ上に配置されており、主面３ａ上には配置されていない。電極部５ａの第一電極層Ｅ１は、稜線部３ｇの全体と接している。すなわち、稜線部３ｇの全体が、第一電極層Ｅ１に覆われている。主面３ａは、第一電極層Ｅ１に覆われておらず、第一電極層Ｅ１から露出している。
【００３５】
電極部５ａの第二電極層Ｅ２は、第一電極層Ｅ１上及び主面３ａ上に配置されている。電極部５ａの第二電極層Ｅ２は、稜線部３ｇの全体と主面３ａの一部（主面３ａにおける端面３ｅ寄りの一部領域）とを覆うように形成されている。電極部５ａの第二電極層Ｅ２は、第一電極層Ｅ１を介して、稜線部３ｇの全体を間接的に覆うように形成されている。電極部５ａの第二電極層Ｅ２は、主面３ａの一部を直接覆うように形成されている。電極部５ａの第二電極層Ｅ２は、第一電極層Ｅ１における稜線部３ｇに形成されている部分の全体を直接覆うように形成されている。
【００３６】
電極部５ａの第三電極層Ｅ３は、第二電極層Ｅ２上に配置されている。電極部５ａの第三電極層Ｅ３は、稜線部３ｇの全体と主面３ａの一部（主面３ａにおける端面３ｅ寄りの一部領域）とを覆うように形成されている。電極部５ａの第三電極層Ｅ３は、第一電極層Ｅ１及び第二電極層Ｅ２を介して、稜線部３ｇの全体を間接的に覆うように形成されている。電極部５ａの第三電極層Ｅ３は、第二電極層Ｅ２を介して、主面３ａの一部を間接的に覆うように形成されている。電極部５ａの第三電極層Ｅ３は、第二電極層Ｅ２における第一電極層Ｅ１を介して稜線部３ｇに形成されている部分の全体と、第二電極層Ｅ２における主面３ａに形成されている部分の全体と、を直接覆うように形成されている。
【００３７】
電極部５ａの第四電極層Ｅ４は、第三電極層Ｅ３上に配置されている。電極部５ａの第四電極層Ｅ４は、稜線部３ｇの全体と主面３ａの一部（主面３ａにおける端面３ｅ寄りの一部領域）とを覆うように形成されている。電極部５ａの第四電極層Ｅ４は、第一電極層Ｅ１、第二電極層Ｅ２、及び第三電極層Ｅ３を介して、稜線部３ｇの全体を間接的に覆うように形成されている。電極部５ａの第四電極層Ｅ４は、第二電極層Ｅ２及び第三電極層Ｅ３を介して、主面３ａの一部を間接的に覆うように形成されている。電極部５ａの第四電極層Ｅ４は、第三電極層Ｅ３における第一電極層Ｅ１及び第二電極層Ｅ２を介して稜線部３ｇに形成されている部分の全体と、第三電極層Ｅ３における第二電極層Ｅ２を介して主面３ａに形成されている部分の全体と、を直接覆うように形成されている。
【００３８】
電極部５ｂは、三層構造（第一電極層Ｅ１、第三電極層Ｅ３、及び第四電極層Ｅ４）を有している。電極部５ｂの第一電極層Ｅ１は、稜線部３ｈ上に配置されており、主面３ｂ上には配置されていない。電極部５ｂの第一電極層Ｅ１は、稜線部３ｈの全体と接している。すなわち、稜線部３ｈの全体が、第一電極層Ｅ１で覆われている。主面３ｂは、第一電極層Ｅ１に覆われておらず、第一電極層Ｅ１から露出している。電極部５ｂは、第二電極層Ｅ２を有していない。すなわち、主面３ｂは、第二電極層Ｅ２に覆われておらず、第二電極層Ｅ２から露出している。第二電極層Ｅ２は、主面３ｂに形成されていない。
【００３９】
電極部５ｂの第三電極層Ｅ３は、第一電極層Ｅ１上に配置されている。電極部５ｂの第三電極層Ｅ３は、稜線部３ｈの全体を覆うように形成されている。電極部５ｂの第三電極層Ｅ３は、第一電極層Ｅ１を介して、稜線部３ｈの全体を間接的に覆うように形成されている。電極部５ｂの第三電極層Ｅ３は、第一電極層Ｅ１における稜線部３ｈに形成されている部分の全体を直接覆うように形成されている。主面３ｂは、第三電極層Ｅ３に覆われておらず、第三電極層Ｅ３から露出している。第三電極層Ｅ３は、主面３ｂに形成されていない。
【００４０】
電極部５ｂの第四電極層Ｅ４は、第三電極層Ｅ３上に配置されている。電極部５ｂの第四電極層Ｅ４は、稜線部３ｈの全体を覆うように形成されている。電極部５ｂの第四電極層Ｅ４は、第一電極層Ｅ１及び第三電極層Ｅ３を介して、稜線部３ｈの全体を間接的に覆うように形成されている。電極部５ｂの第四電極層Ｅ４は、第三電極層Ｅ３における第一電極層Ｅ１を介して稜線部３ｈに形成されている部分の全体を直接覆うように形成されている。主面３ｂは、第四電極層Ｅ４に覆われておらず、第四電極層Ｅ４から露出している。第四電極層Ｅ４は、主面３ｂに形成されていない。
【００４１】
電極部５ｃは、領域５ｃ１と領域５ｃ２とを有している。領域５ｃ２は、領域５ｃ１よりも主面３ａ寄りに位置している。領域５ｃ１は、第一電極層Ｅ１、第三電極層Ｅ３、及び第四電極層Ｅ４を有している。領域５ｃ１は、第二電極層Ｅ２を有していない。領域５ｃ１は、三層構造を有している。領域５ｃ２は、第一電極層Ｅ１、第二電極層Ｅ２、第三電極層Ｅ３、及び第四電極層Ｅ４を有している。領域５ｃ２は、稜線部３ｉ上では四層構造を有しており、側面３ｃ上では三層構造を有している。領域５ｃ１は、第一電極層Ｅ１が第二電極層Ｅ２から露出している領域である。領域５ｃ２は、第一電極層Ｅ１が第二電極層Ｅ２で覆われている領域である。
【００４２】
電極部５ｃの第一電極層Ｅ１は、稜線部３ｉ上に配置されており、側面３ｃ上には配置されていない。電極部５ｃの第一電極層Ｅ１は、稜線部３ｉの全体と接している。すなわち、稜線部３ｉの全体が、第一電極層Ｅ１に覆われている。側面３ｃは、第一電極層Ｅ１に覆われておらず、第一電極層Ｅ１から露出している。
【００４３】
電極部５ｃの第二電極層Ｅ２は、第一電極層Ｅ１上及び側面３ｃ上に配置されている。電極部５ｃの第二電極層Ｅ２は、稜線部３ｉの一部（稜線部３ｉにおける主面３ａ寄りの一部領域）と、側面３ｃの一部（側面３ｃにおける主面３ａ及び端面３ｅ寄りの角領域）とを覆うように形成されている。電極部５ｃの第二電極層Ｅ２は、第一電極層Ｅ１を介して、稜線部３ｉの一部を間接的に覆うように形成されている。電極部５ｃの第二電極層Ｅ２は、側面３ｃの一部を直接覆うように形成されている。電極部５ｃの第二電極層Ｅ２は、第一電極層Ｅ１における稜線部ｉに形成されている部分の一部を直接覆うように形成されている。
【００４４】
電極部５ｃの領域５ｃ１における第三電極層Ｅ３は、第一電極層Ｅ１上に配置されている。電極部５ｃの領域５ｃ１における第三電極層Ｅ３は、稜線部３ｉの一部（稜線部３ｉにおける主面３ｂ寄りの一部領域）を覆うように形成されている。電極部５ｃの領域５ｃ１における第三電極層Ｅ３は、第一電極層Ｅ１を介して、稜線部３ｉの一部を間接的に覆うように形成されている。電極部５ｃの領域５ｃ１における第三電極層Ｅ３は、第一電極層Ｅ１における稜線部３ｉに形成されている部分の一部を直接覆うように形成されている。
【００４５】
電極部５ｃの領域５ｃ１における第四電極層Ｅ４は、第三電極層Ｅ３上に配置されている。電極部５ｃの領域５ｃ１における第四電極層Ｅ４は、稜線部３ｉの一部（稜線部３ｉにおける主面３ｂ寄りの一部領域）を覆うように形成されている。電極部５ｃの領域５ｃ１における第四電極層Ｅ４は、第一電極層Ｅ１及び第三電極層Ｅ３を介して、稜線部３ｉの一部を間接的に覆うように形成されている。電極部５ｃの領域５ｃ１における第四電極層Ｅ４は、第三電極層Ｅ３における第一電極層Ｅ１を介して稜線部３ｉに形成されている部分の一部を直接覆うように形成されている。
【００４６】
電極部５ｃの領域５ｃ２における第三電極層Ｅ３は、第二電極層Ｅ２上に配置されている。電極部５ｃの領域５ｃ２における第三電極層Ｅ３は、稜線部３ｉの一部（稜線部３ｉにおける主面３ａ寄りの一部領域）と側面３ｃの一部（側面３ｃにおける主面３ａ及び端面３ｅ寄りの角領域）とを覆うように形成されている。電極部５ｃの領域５ｃ２における第三電極層Ｅ３は、第一電極層Ｅ１及び第二電極層Ｅ２を介して、稜線部３ｉの一部を間接的に覆うように形成されている。電極部５ｃの領域５ｃ２における第三電極層Ｅ３は、第二電極層Ｅ２を介して、側面３ｃの一部を間接的に覆うように形成されている。電極部５ｃの領域５ｃ２における第三電極層Ｅ３は、稜線部３ｉに形成されている第二電極層Ｅ２の全体を直接覆うように形成されている。電極部５ｃの領域５ｃ２における第三電極層Ｅ３は、第二電極層Ｅ２における第一電極層Ｅ１を介して稜線部３ｉに形成されている部分の全体と、第二電極層Ｅ２における側面３ｃに形成されている部分の全体と、を直接覆うように形成されている。
【００４７】
電極部５ｃの領域５ｃ２における第四電極層Ｅ４は、第三電極層Ｅ３上に配置されている。電極部５ｃの領域５ｃ２における第四電極層Ｅ４は、稜線部３ｉの一部（稜線部３ｉにおける主面３ａ寄りの一部領域）と側面３ｃの一部（側面３ｃにおける主面３ａ及び端面３ｅ寄りの角領域）とを覆うように形成されている。電極部５ｃの領域５ｃ２における第四電極層Ｅ４は、第一電極層Ｅ１、第二電極層Ｅ２、及び第三電極層Ｅ３を介して、稜線部３ｉの一部を間接的に覆うように形成されている。電極部５ａの領域５ｃ２における第四電極層Ｅ４は、第二電極層Ｅ２及び第三電極層Ｅ３を介して、側面３ｃの一部を間接的に覆うように形成されている。電極部５ｃの領域５ｃ２における第四電極層Ｅ４は、第三電極層Ｅ３における第一電極層Ｅ１及び第二電極層Ｅ２を介して稜線部３ｉに形成されている部分の全体と、第三電極層Ｅ３における第二電極層Ｅ２を介して側面３ｃに形成されている部分の全体と、を直接覆うように形成されている。
【００４８】
電極部５ｅは、領域５ｅ１と領域５ｅ２とを有している。領域５ｅ２は、領域５ｅ１よりも主面３ａ寄りに位置している。領域５ｅ１は、第一電極層Ｅ１、第三電極層Ｅ３、及び第四電極層Ｅ４を有している。領域５ｅ１は、第二電極層Ｅ２を有していない。領域５ｅ１は、三層構造である。領域５ｅ２は、第一電極層Ｅ１、第二電極層Ｅ２、第三電極層Ｅ３、及び第四電極層Ｅ４を有している。領域５ｅ２は、四層構造である。領域５ｅ１は、第一電極層Ｅ１が第二電極層Ｅ２から露出している領域である。領域５ｅ２は、第一電極層Ｅ１が第二電極層Ｅ２で覆われている領域である。
【００４９】
電極部５ｅの第一電極層Ｅ１は、端面３ｅ上に配置されており、端面３ｅの全体が第一電極層Ｅ１に覆われている。電極部５ｅの第一電極層Ｅ１は、端面３ｅの全体と接している。電極部５ｅの第一電極層Ｅ１は、対応する内部電極７，９の一端と接続されるように端面３ｅに形成されている。
【００５０】
電極部５ｅの第二電極層Ｅ２は、第一電極層Ｅ１上に配置されている。電極部５ｅの第二電極層Ｅ２は、端面３ｅの一部（端面３ｅにおける主面３ａ寄りの一部領域）を覆うように形成されている。電極部５ｅの第二電極層Ｅ２は、第一電極層Ｅ１を介して、端面３ｅの一部を間接的に覆うように形成されている。電極部５ｅの第二電極層Ｅ２は、第一電極層Ｅ１における端面３ｅに形成されている部分の一部を直接覆うように形成されている。
【００５１】
電極部５ｅの領域５ｅ１における第三電極層Ｅ３は、第一電極層Ｅ１上に配置されている。電極部５ｅの領域５ｅ１における第三電極層Ｅ３は、端面３ｅの一部（端面３ｅにおける主面３ｂ寄りの一部領域）を覆うように形成されている。電極部５ｅの領域５ｅ１における第三電極層Ｅ３は、第一電極層Ｅ１を介して、端面３ｅの一部を間接的に覆うように形成されている。電極部５ｅの領域５ｅ１における第三電極層Ｅ３は、第一電極層Ｅ１における端面３ｅに形成されている部分の一部を直接覆うように形成されている。
【００５２】
電極部５ｅの領域５ｅ１における第四電極層Ｅ４は、第三電極層Ｅ３上に配置されている。電極部５ｅの領域５ｅ１における第四電極層Ｅ４は、端面３ｅの一部（端面３ｅにおける主面３ｂ寄りの一部領域）を覆うように形成されている。電極部５ｅの領域５ｅ１における第四電極層Ｅ４は、第一電極層Ｅ１及び第三電極層Ｅ３を介して、端面３ｅの一部を間接的に覆うように形成されている。電極部５ｅの領域５ｅ１における第四電極層Ｅ４は、第三電極層Ｅ３における第一電極層Ｅ１を介して端面３ｅに形成されている部分の一部を直接覆うように形成されている。
【００５３】
電極部５ｅの領域５ｅ２における第三電極層Ｅ３は、第二電極層Ｅ２上に配置されている。電極部５ｅの領域５ｅ２における第三電極層Ｅ３は、端面３ｅの一部（端面３ｅにおける主面３ａ寄りの一部領域）を覆うように形成されている。電極部５ｅの領域５ｅ２における第三電極層Ｅ３は、第一電極層Ｅ１及び第二電極層Ｅ２を介して、端面３ｅの一部を間接的に覆うように形成されている。電極部５ｅの領域５ｅ２における第三電極層Ｅ３は、第二電極層Ｅ２における第一電極層Ｅ１を介して端面３ｅに形成されている部分の全体を直接覆うように形成されている。
【００５４】
電極部５ｅの領域５ｅ２における第四電極層Ｅ４は、第三電極層Ｅ３上に配置されている。電極部５ｅの領域５ｅ２における第四電極層Ｅ４は、端面３ｅの一部（端面３ｅにおける主面３ａ寄りの一部領域）を覆うように形成されている。電極部５ｅの領域５ｅ２における第四電極層Ｅ４は、第一電極層Ｅ１、第二電極層Ｅ２、及び第三電極層Ｅ３を介して、端面３ｅの一部を間接的に覆うように形成されている。電極部５ｅの領域５ｅ２における第四電極層Ｅ４は、第三電極層Ｅ３における第一電極層Ｅ１及び第二電極層Ｅ２を介して端面３ｅに形成されている部分の全体を直接覆うように形成されている。
【００５５】
第一電極層Ｅ１は、導電性ペーストを素体３の表面に付与して焼き付けることにより形成されている。第一電極層Ｅ１は、端面３ｅ及び稜線部３ｇ，３ｈ，３ｉを覆うように形成されている。第一電極層Ｅ１は、導電性ペーストに含まれる金属成分（金属粉末）が焼結して形成された焼結金属層である。第一電極層Ｅ１は、素体３に形成された焼結金属層である。第一電極層Ｅ１は、一対の主面３ａ，３ｂ及び一対の側面３ｃに意図的に形成されていない。たとえば製造誤差などにより、第一電極層Ｅ１が意図せず主面３ａ，３ｂ及び側面３ｃに形成されていてもよい。
【００５６】
本実施形態では、第一電極層Ｅ１は、Ｃｕからなる焼結金属層である。第一電極層Ｅ１は、Ｎｉからなる焼結金属層であってもよい。このように、第一電極層Ｅ１は、卑金属を含んでいる。導電性ペーストは、Ｃｕ又はＮｉからなる粉末、ガラス成分、有機バインダ、及び有機溶剤を含んでいる。
【００５７】
第二電極層Ｅ２は、第一電極層Ｅ１上、主面３ａ上、及び一対の側面３ｃ上に付与された導電性樹脂を硬化させることにより形成されている。第二電極層Ｅ２は、第一電極層Ｅ１上と素体３上とにわたって形成されている。本実施形態では、第二電極層Ｅ２は、第一電極層Ｅ１の一部の領域（電極部５ａ、電極部５ｃの領域５ｃ２、及び電極部５ｅの領域５ｅ２に対応する領域）を覆うように形成されている。第二電極層Ｅ２は、稜線部３ｊの一部を直接覆うように形成されている。第二電極層Ｅ２は、稜線部３ｊの一部と接している。第一電極層Ｅ１は、第二電極層Ｅ２を形成するための下地金属層である。第二電極層Ｅ２は、第一電極層Ｅ１上に形成された導電性樹脂層である。
【００５８】
導電性樹脂は、樹脂（たとえば、熱硬化性樹脂）、導電性材料（たとえば、金属粉末）及び有機溶媒を含んでいる。金属粉末としては、たとえば、Ａｇ粉末又はＣｕ粉末が用いられる。熱硬化性樹脂としては、たとえば、フェノール樹脂、アクリル樹脂、シリコーン樹脂、エポキシ樹脂、又はポリイミド樹脂が用いられる。
【００５９】
第三電極層Ｅ３は、第二電極層Ｅ２上と、第一電極層Ｅ１（第二電極層Ｅ２から露出している部分）上とにめっき法により形成されている。第三電極層Ｅ３は、第二電極層Ｅ２と第一電極層Ｅ１の第二電極層Ｅ２から露出している部分とを、直接覆っている。本実施形態では、第三電極層Ｅ３は、第一電極層Ｅ１上及び第二電極層Ｅ２上にＮｉめっきにより形成されたＮｉめっき層である。第三電極層Ｅ３は、Ｓｎめっき層、Ｃｕめっき層、又はＡｕめっき層であってもよい。第三電極層Ｅ３は、Ｎｉ、Ｓｎ、Ｃｕ、又はＡｕを含んでいる。
【００６０】
第四電極層Ｅ４は、第三電極層Ｅ３上にめっき法により形成されている。第四電極層Ｅ４は、第二電極層Ｅ２と第一電極層Ｅ１の第二電極層Ｅ２から露出している部分とを、第三電極層Ｅ３を介して間接的に覆っている。本実施形態では、第四電極層Ｅ４は、第三電極層Ｅ３上にＳｎめっきにより形成されたＳｎめっき層である。第四電極層Ｅ４は、Ｃｕめっき層又はＡｕめっき層であってもよい。第四電極層Ｅ４は、Ｓｎ、Ｃｕ、又はＡｕを含んでいる。
【００６１】
第三電極層Ｅ３と第四電極層Ｅ４とは、第二電極層Ｅ２に形成されるめっき層Ｅｍを構成している。すなわち、外部電極５は、めっき層Ｅｍとして第三電極層Ｅ３及び第四電極層Ｅ４を有している。本実施形態では、めっき層Ｅｍは、二層構造を有している。第三電極層Ｅ３は、最外層である第四電極層Ｅ４よりも素体３側の中間層である。本実施形態では、めっき層Ｅｍは、最外層としてＳｎめっき層を含んでおり、中間層としてＮｉめっき層を含んでいる。
【００６２】
各電極部５ａ，５ｂ，５ｃ，５ｅが有している第一電極層Ｅ１は、一体的に形成されている。各電極部５ａ，５ｃ，５ｅが有している第二電極層Ｅ２は、一体的に形成されている。各電極部５ａ，５ｂ，５ｃ，５ｅが有している第三電極層Ｅ３は、一体的に形成されている。各電極部５ａ，５ｂ，５ｃ，５ｅが有している第四電極層Ｅ４は、一体的に形成されている。
【００６３】
第一電極層Ｅ１（電極部５ｅの第一電極層Ｅ１）は、対応する内部電極７，９と接続されるように、端面３ｅに形成されている。第一電極層Ｅ１は、端面３ｅの全体、稜線部３ｇの全体、稜線部３ｈの全体、及び稜線部３ｉの全体を覆うように形成されている。第二電極層Ｅ２（電極部５ａ，５ｃ，５ｅの第二電極層Ｅ２）は、主面３ａの一部、端面３ｅの一部、及び一対の側面３ｃの各一部を連続して覆うように形成されている。すなわち、第二電極層Ｅ２は、主面３ａにおける端面３ｅ寄りの領域と、端面３ｅにおける主面３ａ寄りの領域と、側面３ｃにおける主面３ａ寄りの領域とを一体的に覆うように形成されている。
【００６４】
第二電極層Ｅ２（電極部５ａ，５ｃ，５ｅの第二電極層Ｅ２）は、稜線部３ｇの全体、稜線部３ｉの一部、及び稜線部３ｊの一部を覆うように形成されている。第二電極層Ｅ２は、第一電極層Ｅ１を介して、稜線部３ｇの全体、稜線部３ｉの一部、及び稜線部３ｊの一部を覆うように形成されている。第二電極層Ｅ２は、第一電極層Ｅ１における、稜線部３ｇに形成されている部分の全体、稜線部３ｉに形成されている部分の一部、稜線部３ｊに形成されている部分の一部を直接覆うように形成されている。第二電極層Ｅ２は、主面３ａの一部、端面３ｅの一部、一対の側面３ｃの各一部、稜線部３ｇの全体、稜線部３ｉの一部、及び稜線部３ｊの一部に対応する部分を有している。
【００６５】
第一電極層Ｅ１（電極部５ａ，５ｂ，５ｃ，５ｅの第一電極層Ｅ１）は、第二電極層Ｅ２（電極部５ａ，５ｃ，５ｅの第二電極層Ｅ２）で覆われている領域と、第二電極層Ｅ２（電極部５ａ，５ｃ，５ｅの第二電極層Ｅ２）で覆われていない領域（第二電極層Ｅ２から露出している領域）とを有している。第三電極層Ｅ３及び第四電極層Ｅ４は、第一電極層Ｅ１の第二電極層Ｅ２で覆われていない領域と、第二電極層Ｅ２とを覆うように形成されている。第一電極層Ｅ１（電極部５ｅの第一電極層Ｅ１）は、対応する内部電極７，９と直接的に接続されている。
【００６６】
図６に示されるように、第一方向Ｄ１から見たとき、第一電極層Ｅ１（電極部５ａの第一電極層Ｅ１）の全体が第二電極層Ｅ２で覆われている。第一方向Ｄ１から見たとき、第一電極層Ｅ１（電極部５ａの第一電極層Ｅ１）は、第二電極層Ｅ２から露出していない。
【００６７】
図７に示されているように、第二方向Ｄ２から見たとき、第一電極層Ｅ１の主面３ａ寄りの端部領域（領域５ｃ２が有する第一電極層Ｅ１）が第二電極層Ｅ２で覆われていると共に、第二電極層Ｅ２の端縁Ｅ２ｅが第一電極層Ｅ１の端縁Ｅ１ｅと交差している。第二方向Ｄ２から見たとき、第一電極層Ｅ１の主面３ｂ寄りの端部領域（領域５ｃ１が有する第一電極層Ｅ１）は、第二電極層Ｅ２から露出している。側面３ｃ及び稜線部３ｉ上に位置している第二電極層Ｅ２の面積は、稜線部３ｉ上に位置している第一電極層Ｅ１の面積よりも大きい。
【００６８】
図８に示されるように、第三方向Ｄ３から見たとき、第一電極層Ｅ１の主面３ａ寄りの端部領域（領域５ｅ２が有する第一電極層Ｅ１）が第二電極層Ｅ２で覆われていると共に、第二電極層Ｅ２の端縁Ｅ２ｅが第一電極層Ｅ１上に位置している。第三方向Ｄ３から見たとき、第一電極層Ｅ１の主面３ｂ寄りの端部領域（領域５ｅ１が有する第一電極層Ｅ１）は、第二電極層Ｅ２から露出している。端面３ｅ及び稜線部３ｇ上に位置している第二電極層Ｅ２の面積は、端面３ｅ及び稜線部３ｇ上に位置している第一電極層Ｅ１の面積よりも小さい。
【００６９】
本実施形態では、第二電極層Ｅ２は、主面３ａの一部のみ、端面３ｅの一部のみ、及び一対の側面３ｃの各一部のみを連続して覆うように形成されている。第二電極層Ｅ２は、稜線部３ｇの全体、稜線部３ｉの一部のみ、及び稜線部３ｊの一部のみを覆うように形成されている。第一電極層Ｅ１の、稜線部３ｉを覆うように形成されている部分の一部（たとえば、領域５ｃ１が有する第一電極層Ｅ１）は、第二電極層Ｅ２から露出している。
【００７０】
第三方向Ｄ３での領域５ｃ２の幅は、図２に示されるように、主面３ａ（電極部５ａ）から離れるにしたがって小さくなっている。第一方向Ｄ１での領域５ｃ２の幅は、端面３ｅ（電極部５ｅ）から離れるにしたがって小さくなっている。本実施形態では、第二方向Ｄ２から見たとき、領域５ｃ２の端縁は、略円弧状である。第二方向Ｄ２から見たとき、領域５ｃ２は、略扇形状を呈している。本実施形態では、図７に示されるように、第二方向Ｄ２から見たときの第二電極層Ｅ２の幅が、主面３ａから離れるにしたがって小さくなっており、第二電極層Ｅ２の端縁Ｅ２ｅは、略円弧状である。
【００７１】
次に、図９〜図１１を参照して、めっき層Ｅｍの厚み及び面積について説明する。図９は、図２のIX-IX線に沿った積層コンデンサＣ１の断面図である。図１０は、図６の平面図の一部であってめっき層Ｅｍを仮想的に示す図である。図１１は、図７の側面図の一部であってめっき層Ｅｍを仮想的に示す図である。
【００７２】
図９に示されるように、主面３ａの一部（主面３ａにおける端面３ｅ寄りの一部領域）と、一対の側面３ｃの各一部（各側面３ｃにおける主面３ａ及び端面３ｅ寄りの角領域）とは、めっき層Ｅｍで覆われている。換言すると、めっき層Ｅｍにおける主面３ａを覆っている部分は、主面３ａにおける端面３ｅ寄りの一部領域に形成されており、めっき層Ｅｍにおける各側面３ｃを覆っている各部分は、各側面３ｃにおける主面３ａ及び端面３ｅ寄りの角領域に形成されている。
【００７３】
めっき層Ｅｍにおける主面３ａを覆っている部分の厚みＭ１（以下、単に「めっき層Ｅｍの厚みＭ１」とする。）は、めっき層Ｅｍにおける各側面３ｃを覆っている各部分の厚みＭ２（以下、単に「めっき層Ｅｍの厚みＭ２」とする。）よりも小さい。本実施形態では、めっき層Ｅｍにおける主面３ａを覆っている部分は、第一方向Ｄ１から見て、めっき層Ｅｍにおける主面３ａ上のみに位置している部分である。めっき層Ｅｍにおける各側面３ｃを覆っている各部分は、第二方向Ｄ２から見て、めっき層Ｅｍにおける各側面３ｃ上のみに位置している部分である。めっき層Ｅｍにおける主面３ａを覆っている部分は、第一方向Ｄ１から見て、めっき層Ｅｍにおける主面３ａ上に位置している部分に加えて、めっき層Ｅｍにおける各稜線部３ｇ，３ｉ，３ｊ上に位置している部分を含んでいてもよい。めっき層Ｅｍにおける各側面３ｃを覆っている各部分は、第二方向Ｄ２から見て、めっき層Ｅｍにおける各側面３ｃ上に位置している部分に加えて、各稜線部３ｇ，３ｉ，３ｊ上に位置している部分を含んでいてもよい。めっき層Ｅｍの厚みＭ１は、めっき層Ｅｍが覆っている主面３ａに直交する方向（第一方向Ｄ１）での厚みである。めっき層Ｅｍの厚みＭ２は、めっき層Ｅｍが覆っている側面３ｃに直交する方向（第二方向Ｄ２）での厚みである。
【００７４】
めっき層Ｅｍの厚みＭ１は、たとえば、第一方向Ｄ１から見て、めっき層Ｅｍにおける主面３ａを覆っている部分の略中央の位置で測定される。本実施形態において、「略中央」には、中心位置だけでなく、製造誤差などによって中心位置から離れる位置も含まれる。また、略中央には、中心位置から予め設定された微小長さ離れた位置も含む。本実施形態では、図１０に示されるように、めっき層Ｅｍの厚みＭ１は、第一方向Ｄ１から見て、めっき層Ｅｍにおける主面３ａ上に位置している部分の重心位置Ｇ１で測定される。めっき層Ｅｍの厚みＭ１は、第一方向Ｄ１から見て、めっき層Ｅｍにおける主面３ａ上と各稜線部３ｇ，３ｉ，３ｊ上とに位置している部分の重心位置で測定されてもよい。
【００７５】
めっき層Ｅｍの厚みＭ２は、たとえば、第二方向Ｄ２から見て、めっき層Ｅｍにおける側面３ｃを覆っている部分の略中央の位置で測定される。本実施形態では、図１１に示されるように、めっき層Ｅｍの厚みＭ２は、第二方向Ｄ２から見て、めっき層Ｅｍにおける側面３ｃ上に位置している部分の重心位置Ｇ２で測定される。めっき層Ｅｍの厚みＭ２は、第二方向Ｄ２から見て、めっき層Ｅｍにおける側面３ｃ上と稜線部３ｇ,３ｉ，３ｊ上とに位置している部分の重心位置で測定されてもよい。めっき層Ｅｍの各厚みＭ１，Ｍ２は、一箇所で測定された厚みであってもよく、複数箇所で測定された各厚みの平均値であってもよい。
【００７６】
第三電極層Ｅ３及び第四電極層Ｅ４の各厚みＡ１，Ａ２，Ｂ１，Ｂ２は、めっき層Ｅｍの各厚みＭ１，Ｍ２と同様、それぞれが覆っている主面３ａ又は側面３ｃに直交する方向での厚みである。第三電極層Ｅ３及び第四電極層Ｅ４の各厚みＡ１，Ａ２，Ｂ１，Ｂ２は、めっき層Ｅｍの各厚みＭ１，Ｍ２と同様に測定される。
【００７７】
第三電極層Ｅ３における主面３ａを覆っている部分の厚みＡ１は、第三電極層Ｅ３における一対の側面３ｃを覆っている各部分の厚みＡ２よりも小さい。第四電極層Ｅ４における主面３ａを覆っている部分の厚みＢ１は、第四電極層Ｅ４における一対の側面３ｃを覆っている各部分の厚みＢ２よりも小さい。第三電極層Ｅ３の厚みＡ１と第四電極層Ｅ４の厚みＢ１との和（めっき層Ｅｍの厚みＭ１に相当）は、第三電極層Ｅ３の厚みＡ２と第四電極層Ｅ４の厚みＢ２との和（めっき層Ｅｍの厚みＭ２に相当）よりも小さい。
【００７８】
図１０に示されるように、第一方向Ｄ１から見たとき、主面３ａにおいては、第二方向Ｄ２での幅の全体を覆うようにめっき層Ｅｍが形成されている。これに対し、図１１に示されるように、側面３ｃにおいては、第一方向Ｄ１での幅の一部（主面３ａ寄りの一部領域）のみを覆うようにめっき層Ｅｍが形成されている。めっき層Ｅｍにおける一対の側面３ｃを覆っている各部分の第二方向Ｄ２から見た面積は、めっき層Ｅｍにおける主面３ａを覆っている部分の第一方向Ｄ１から見た面積よりも小さい。換言すると、各側面３ｃにおけるめっき層Ｅｍに覆われている部分の面積は、主面３ａにおけるめっき層Ｅｍに覆われている部分の面積よりも小さい。
【００７９】
続いて、図１２を参照して、積層コンデンサＣ１の実装構造を説明する。図１２は、第１実施形態に係る積層コンデンサＣ１の実装構造を説明するための図である。
【００８０】
図１２に示されるように、電子部品装置ＥＣＤ１は、積層コンデンサＣ１と、電子機器ＥＤと、を備えている。電子機器ＥＤは、たとえば、回路基板又は電子部品である。
【００８１】
積層コンデンサＣ１は、電子機器ＥＤにはんだ実装されている。電子機器ＥＤは、主面ＥＤａと、二つのパッド電極ＰＥ１，ＰＥ２とを有している。各パッド電極ＰＥ１，ＰＥ２は、主面ＥＤａに配置されている。二つのパッド電極ＰＥ１，ＰＥ２は、互いに離間している。積層コンデンサＣ１は、実装面である主面３ａと主面ＥＤａとが対向するように、電子機器ＥＤに配置されている。
【００８２】
積層コンデンサＣ１がはんだ実装される場合、溶融したはんだが外部電極５（第四電極層Ｅ４）を濡れ上がる。濡れ上がったはんだが固化することにより、外部電極５にはんだフィレットＳＦが形成される。対応する外部電極５とパッド電極ＰＥ１，ＰＥ２とは、はんだフィレットＳＦを介して連結されている。
【００８３】
はんだフィレットＳＦは、電極部５ｅの領域５ｅ１と領域５ｅ２とに形成されている。すなわち、領域５ｅ２だけでなく、第二電極層Ｅ２を有していない領域５ｅ１が、はんだフィレットＳＦを介してパッド電極ＰＥ１，ＰＥ２と連結されている。図示は省略するが、はんだフィレットＳＦは、電極部５ｃの領域５ｃ１と領域５ｃ２とにも形成されている。はんだフィレットＳＦは、第三方向Ｄ３から見て、第一電極層Ｅ１における第二電極層Ｅ２から露出している領域と重なるように形成されている。はんだフィレットＳＦの第一方向Ｄ１での高さは、第二電極層Ｅ２の第一方向Ｄ１での高さよりも高くなっている。はんだフィレットＳＦは、第一方向Ｄ１で第二電極層Ｅ２の端縁Ｅ２ｅよりも主面３ｂ寄りに延びている。
【００８４】
以上のように、本実施形態の積層コンデンサＣ１では、めっき層Ｅｍが、一対の側面３ｃを覆っている各部分よりも主面３ａを覆っている部分で小さい厚みとなっているので、この主面３ａを覆っている部分の残留応力が小さい。よって、実装面とされる主面３ａに当該残留応力が作用することにより生じる素体３のクラックが抑制されている。めっき層Ｅｍが、主面３ａを覆っている各部分よりも一対の側面３ｃを覆っている各部分で大きい厚みとなっているので、外部電極５を電子機器ＥＤにはんだ接合する際、当該一対の側面３ｃを覆っている各部分の上にはんだが回り込み易い。よって、外部電極５と電子機器ＥＤとのはんだによる接合強度が確保可能である。以上より、はんだによる接合強度が確保可能であると共に素体３のクラックが抑制されている。
【００８５】
積層コンデンサＣ１では、めっき層Ｅｍが、主面３ａを覆っている部分よりも一対の側面３ｃを覆っている各部分で小さい面積となっている。よって、めっき層Ｅｍが一対の側面３ｃを覆っている各部分で大きい厚みとなることに起因して当該側面３ｃを覆っている各部分で残留応力が増加するとしても、その増加分を相殺する作用が奏される。したがって、残留応力が各側面３ｃに作用することにより生じる素体３のクラックが抑制されている。
【００８６】
積層コンデンサＣ１では、めっき層Ｅｍにおける一対の側面３ｃを覆っている各部分が、側面３ｃにおける主面３ａ寄りの領域に形成されているので、当該側面３ｃを覆っている各部分が側面３ｃにおける主面３ａから主面３ｂに亘る領域に形成されている場合よりも、当該側面３ｃを覆っている各部分の面積が小さい。よって、めっき層Ｅｍが一対の側面３ｃを覆っている各部分で大きい厚みとなることに起因して当該側面３ｃを覆っている各部分で残留応力が増加するとしても、その増加分を相殺する作用が奏される。したがって、残留応力が各側面３ｃに作用することにより生じる素体のクラックが抑制されている。
【００８７】
積層コンデンサＣ１では、めっき層Ｅｍと主面３ａ及び一対の側面３ｃとの間に第二電極層Ｅ２を介しているので、めっき層Ｅｍの残留応力が素体３に作用し難く、素体３のクラックがより抑制されている。
【００８８】
素体３と第二電極層Ｅ２との間の領域は、水分が浸入する経路となるおそれがある。素体３と第二電極層Ｅ２との間の領域から水分が浸入すると、積層コンデンサＣ１の耐久性が低下する。積層コンデンサＣ１では、第二電極層Ｅ２が、端面３ｅの一部を覆うように形成されているので、端面３ｅの全体を覆うように形成されている構成に比して、水分が浸入する経路が少ない。よって、湿信頼性が向上している。ここで、積層コンデンサＣ１が電子機器ＥＤにはんだ実装されている場合、電子機器ＥＤから積層コンデンサＣ１に作用する外力が、はんだ実装の際に形成されたはんだフィレットＳＦから外部電極５を通して素体３に応力として作用することがある。この場合、素体３にクラックが発生するおそれがある。外力は、素体３における、主面３ａの一部と一対の側面３ｃの各一部と端面３ｅの一部とで画成される領域に作用する傾向がある。この積層コンデンサＣ１では、第二電極層Ｅ２が、主面３ａの一部と一対の側面３ｃの各一部とに加えて、端面３ｅの一部を更に覆うように形成されているので、外力によるクラックが素体３に発生するのが抑制される。
【００８９】
積層コンデンサＣ１では、内部電極７，９と接続されるように端面３ｅに形成されている第一電極層Ｅ１により、外部電極５と内部電極７，９とが、良好にコンタクトするので、外部電極５と内部電極７，９とが、確実に電気的に接続される。
【００９０】
第二電極層Ｅ２の電気抵抗は、第一電極層Ｅ１の電気抵抗に比して大きい。第一電極層Ｅ１の第二電極層Ｅ２に覆われていない領域は、第二電極層Ｅ２を介することなく、電子機器ＥＤと電気的に接続される。したがって、積層コンデンサＣ１では、外部電極５が第二電極層Ｅ２を有する場合でも、ＥＳＲ（等価直列抵抗）の増大が抑制される。
【００９１】
第二電極層Ｅ２と素体３との接合強度は、第二電極層Ｅ２と第一電極層Ｅ１との接合強度よりも小さい。積層コンデンサＣ１では、稜線部３ｇに第一電極層Ｅ１が形成されているので、第二電極層Ｅ２が素体３から剥がれる場合でも、第二電極層Ｅ２の剥がれが、稜線部３ｇに対応する位置を越えて、端面３ｅに対応する位置まで進み難い。
【００９２】
積層コンデンサＣ１では、稜線部３ｉに第一電極層Ｅ１が形成されているので、第二電極層Ｅ２が素体３から剥がれる場合でも、第二電極層Ｅ２の剥がれが、稜線部３ｉに対応する位置を越えて、端面３ｅに対応する位置まで進み難い。積層コンデンサＣ１では、第二電極層Ｅ２が稜線部３ｉの一部を覆うように形成されているので、稜線部３ｉの全体を覆うように形成されている構成に比して、水分が浸入する経路が少ない。したがって、湿信頼性が向上している。
【００９３】
積層コンデンサＣ１では、めっき層Ｅｍが中間層としてＮｉめっき層を含んでいるので、はんだ実装の際の耐はんだ喰われ性が向上する。
【００９４】
積層コンデンサＣ１では、めっき層Ｅｍが最外層としてＳｎめっき層を含んでいるので、はんだ実装の際のはんだ接合強度が向上する。
【００９５】
（第２実施形態）
図１３〜図１５を参照して、第２実施形態に係る積層コンデンサの構成を説明する。図１３は、第２実施形態に係る積層コンデンサの斜視図である。図１４は、図１３のXIV-XIV線に沿った積層コンデンサの断面図である。図１５は、図１３のXV-XV線に沿った積層コンデンサの断面図である。図１５では、内部電極７，９の図示を省略している。図１３〜図１５に示されるように、第２実施形態の積層コンデンサＣ２は、第１実施形態の積層コンデンサＣ１と同様の要素や構造を備えている。そのため、第１実施形態と同様の要素や構造には同一の符号を付して詳細な説明は省略し、第１実施形態と異なる部分について説明する。
【００９６】
図１３に示されるように、積層コンデンサＣ２は、素体３の第二方向Ｄ２での長さが、素体３の第一方向Ｄ１での長さより大きい。すなわち、積層コンデンサＣ２は、低背となっている。
【００９７】
図１４に示されるように、積層コンデンサＣ２においては、内部電極７，９は、第一方向Ｄ１において異なる位置（層）に配置されている。内部電極７と内部電極９とは、素体３内において、第一方向Ｄ１に間隔を有して対向するように交互に配置されている。すなわち、内部電極７と内部電極９とが対向している方向が第一方向Ｄ１となっている。
【００９８】
積層コンデンサＣ２では、稜線部３ｈ上に配置されている電極部５ｂが、主面３ｂ上にも配置されている。すなわち、外部電極５は、主面３ｂ上にも形成されている。外部電極５は、一対の主面３ａ，３ｂ、一つの端面３ｅ、及び一対の側面３ｃの五つの面、並びに、稜線部３ｇ，３ｈ，３ｉ，３ｊに形成されている。
【００９９】
外部電極５は、第一電極層Ｅ１、第三電極層Ｅ３、及び第四電極層Ｅ４を有しており、かつ、第二電極層Ｅ２を有していない。第一電極層Ｅ１は、端面３ｅ及び稜線部３ｇ，３ｈ，３ｉに加えて、一対の主面３ａ，３ｂの各一部及び一対の側面３ｃの各一部も覆うように形成されている。第三電極層Ｅ３は、第一電極層Ｅ１上に配置されている。第四電極層Ｅ４は、第三電極層Ｅ３上に配置されている。各電極部５ａ，５ｂ，５ｃ，５ｅは、第一電極層Ｅ１、第三電極層Ｅ３、及び第四電極層Ｅ４を有している。各電極部５ａ，５ｂ，５ｃ，５ｅは、三層構造を有している。
【０１００】
電極部５ａの第一電極層Ｅ１は、稜線部３ｇ上と、主面３ａ上とに配置されている。主面３ａの一部（主面３ａにおける端面３ｅ寄りの一部領域）は、第一電極層Ｅ１に覆われている。電極部５ａの第三電極層Ｅ３は、第一電極層Ｅ１を介して、稜線部３ｇの全体と主面３ａの一部とを間接的に覆うように形成されている。電極部５ａの第三電極層Ｅ３は、第一電極層Ｅ１における稜線部３ｇに形成されている部分の全体と、第一電極層Ｅ１における主面３ａに形成されている部分の全体と、を直接覆うように形成されている。
【０１０１】
電極部５ａの第四電極層Ｅ４は、第一電極層Ｅ１及び第三電極層Ｅ３を介して、稜線部３ｇの全体と主面３ａの一部とを間接的に覆うように形成されている。電極部５ａの第四電極層Ｅ４は、第三電極層Ｅ３における第一電極層Ｅ１を介して稜線部３ｇに形成されている部分の全体と、第三電極層Ｅ３における第一電極層Ｅ１を介して主面３ａに形成されている部分の全体と、を直接覆うように形成されている。
【０１０２】
電極部５ｂの第一電極層Ｅ１は、稜線部３ｈ上と、主面３ｂ上とに配置されている。主面３ｂの一部（主面３ｂにおける端面３ｅ寄りの一部領域）は、第一電極層Ｅ１に覆われている。電極部５ｂの第三電極層Ｅ３は、第一電極層Ｅ１を介して、稜線部３ｈの全体と主面３ｂの一部とを間接的に覆うように形成されている。電極部５ｂの第三電極層Ｅ３は、第一電極層Ｅ１における稜線部３ｈに形成されている部分の全体と、第一電極層Ｅ１における主面３ｂに形成されている部分の全体と、を直接覆うように形成されている。
【０１０３】
電極部５ｂの第四電極層Ｅ４は、第一電極層Ｅ１及び第三電極層Ｅ３を介して、稜線部３ｈの全体と主面３ｂの一部とを間接的に覆うように形成されている。電極部５ｂの第四電極層Ｅ４は、第三電極層Ｅ３における第一電極層Ｅ１を介して稜線部３ｈに形成されている部分の全体と、第三電極層Ｅ３における第一電極層Ｅ１を介して主面３ｂに形成されている部分の全体と、を直接覆うように形成されている。
【０１０４】
電極部５ｃの第一電極層Ｅ１は、稜線部３ｉ上と、側面３ｃ上とに配置されている。電極部５ｃは、領域５ｃ１及び領域５ｃ２を有しておらず、稜線部３ｉ上と側面３ｃ上との何れにおいても三層構造を有している。側面３ｃの一部（側面３ｃにおける端面３ｅ寄りの一部領域）は、第一電極層Ｅ１に覆われている。電極部５ｃの第三電極層Ｅ３は、第一電極層Ｅ１を介して、稜線部３ｉの全体と側面３ｃの一部とを間接的に覆うように形成されている。電極部５ｃの第三電極層Ｅ３は、第一電極層Ｅ１における稜線部３ｉに形成されている部分の全体と、第一電極層Ｅ１における側面３ｃに形成されている部分の全体と、を直接覆うように形成されている。
【０１０５】
電極部５ｃの第四電極層Ｅ４は、第一電極層Ｅ１及び第三電極層Ｅ３を介して、稜線部３ｉの全体と側面３ｃの一部とを間接的に覆うように形成されている。電極部５ｃの第四電極層Ｅ４は、第三電極層Ｅ３における第一電極層Ｅ１を介して稜線部３ｉに形成されている部分の全体と、第三電極層Ｅ３における第一電極層Ｅ１を介して側面３ｃに形成されている部分の全体と、を直接覆うように形成されている。
【０１０６】
電極部５ｅの第一電極層Ｅ１は、端面３ｅ上に配置されている。端面３ｅの全体が、第一電極層Ｅ１に覆われている。電極部５ｅは、領域５ｅ１及び領域５ｅ２を有しておらず、端面３ｅ上の全領域において三層構造を有している。電極部５ｅの第三電極層Ｅ３は、第一電極層Ｅ１を介して、端面３ｅの全体を間接的に覆うように形成されている。電極部５ｅの第三電極層Ｅ３は、第一電極層Ｅ１における端面３ｅに形成されている部分の全体を直接覆うように形成されている。
【０１０７】
電極部５ｅの第四電極層Ｅ４は、第一電極層Ｅ１及び第三電極層Ｅ３を介して、端面３ｅの全体を間接的に覆うように形成されている。電極部５ｅの第四電極層Ｅ４は、第三電極層Ｅ３における第一電極層Ｅ１を介して端面３ｅに形成されている部分の全体を直接覆うように形成されている。
【０１０８】
図１５に示されるように、積層コンデンサＣ２においても、上記実施形態と同様、めっき層Ｅｍにおける主面３ａを覆っている部分の厚みＭ１は、めっき層Ｅｍにおける各側面３ｃを覆っている各部分の厚みＭ２よりも小さい。積層コンデンサＣ２において、めっき層Ｅｍにおける主面３ｂを覆っている部分の厚みは、めっき層Ｅｍにおける主面３ａを覆っている部分の厚みＭ１に略等しく、めっき層Ｅｍにおける各側面３ｃを覆っている各部分の厚みＭ２よりも小さい。積層コンデンサＣ２は低背であるので、図１３に示されるように、上記実施形態と同様、めっき層Ｅｍにおける一対の側面３ｃを覆っている各部分の第二方向Ｄ２から見た面積は、めっき層Ｅｍにおける主面３ａを覆っている部分の第一方向Ｄ１から見た面積よりも小さい。
【０１０９】
以上、本実施形態の積層コンデンサＣ２においても、めっき層Ｅｍが、一対の側面３ｃを覆っている各部分よりも主面３ａを覆っている部分で小さい厚みとなっているので、第１実施形態と同様、はんだによる接合強度が確保可能であると共に素体３のクラックが抑制されている。
【０１１０】
以上、本発明の実施形態について説明してきたが、本発明は必ずしも上述した実施形態に限定されるものではなく、その要旨を逸脱しない範囲で様々な変更が可能である。
【０１１１】
上述した積層コンデンサＣ１において、第一電極層Ｅ１は、端面３ｅから稜線部３ｇの全体又は一部を越えるように、主面３ａ上に形成されていてもよい。第一電極層Ｅ１は、端面３ｅから稜線部３ｈの全体又は一部を越えるように主面３ｂ上に形成されていてもよい。第一電極層Ｅ１は、端面３ｅから稜線部３ｉの全体又は一部を越えるように、側面３ｃ上に形成されていてもよい。
【０１１２】
上述した積層コンデンサＣ１において、第二電極層Ｅ２は、端面３ｅの一部（端面３ｅにおける主面３ａ寄りの一部領域）だけでなく、端面３ｅの全体を覆うように形成されていてもよい。第二電極層Ｅ２は、稜線部３ｈの全体又は一部を越えるように主面３ｂの一部を覆っていてもよく、端面３ｅから稜線部３ｉの全体を越えるように側面３ｃの一部を覆っていてもよい。
【０１１３】
上述した積層コンデンサＣ１において、めっき層Ｅｍにおける稜線部３ｈを覆っている部分の厚みは、めっき層Ｅｍにおける側面３ｃを覆っている部分の厚みＭ２よりも大きくてもよい。めっき層Ｅｍの厚みは、稜線部３ｈを覆っている部分において最も大きくなっていてもよい。また、めっき層Ｅｍは、稜線部３ｈの全体又は一部を越えて主面３ｂを覆うように形成されていてもよい。この場合において、めっき層Ｅｍにおける主面３ｂを覆っている部分の厚みは、めっき層Ｅｍにおける側面３ｃを覆っている部分の厚みＭ２よりも大きくてもよい。めっき層Ｅｍの厚みは、側面３ｃを覆っている部分において最も大きくなっていてもよい。
【０１１４】
上記実施形態では、外部電極５が、一つの主面３ａ、一つの端面３ｅ、及び一対の側面３ｃの四つの面、並びに、稜線部３ｇ，３ｈ，３ｉ，３ｊに形成されている例について説明したが、これに限られず、外部電極５は、少なくとも主面３ａと側面３ｃとに形成されていればよい。
【０１１５】
本実施形態では、電子部品として積層コンデンサＣ１，Ｃ２を例に説明したが、適用可能な電子部品は、積層コンデンサに限られない。適用可能な電子部品は、たとえば、及び積層貫通コンデンサ、積層インダクタ、積層バリスタ、積層圧電アクチュエータ、積層サーミスタ、もしくは積層複合部品などの積層電子部品、又は、積層電子部品以外の電子部品である。
【符号の説明】
【０１１６】
３…素体、３ａ，３ｂ…主面、３ｃ…側面、３ｅ…端面、３ｇ，３ｈ，３ｉ，３ｊ，３ｋ…稜線部、５…外部電極、７，９…内部電極、Ｃ１，Ｃ２…積層コンデンサ、Ｄ１…第一方向、Ｄ２…第二方向、Ｄ３…第三方向、Ｅ１…第一電極層、Ｅ２…第二電極層、Ｅ３…第三電極層、Ｅ４…第四電極層、Ｅｍ…めっき層、Ｍ１，Ｍ２…厚み。
【図１】
2019083252.tif 000003
【図２】
2019083252.tif 000004
【図３】
2019083252.tif 000005
【図４】
2019083252.tif 000006
【図５】
2019083252.tif 000007
【図６】
2019083252.tif 000008
【図７】
2019083252.tif 000009
【図８】
2019083252.tif 000010
【図９】
2019083252.tif 000011
【図１０】
2019083252.tif 000012
【図１１】
2019083252.tif 000013
【図１２】
2019083252.tif 000014
【図１３】
2019083252.tif 000015
【図１４】
2019083252.tif 000016
【図１５】
2019083252.tif 000017